(57)【要約】【課題】簡易な構造で施工性にも優れる見切材、及び該見切材を備える外壁を提供する。【解決手段】建物外周に沿って並列される外壁材の間に具備される見切部材１０であって、長手方向に直交する断面に表れる形状において、幅方向に延在するベース片１１、１２と、ベース片から立設する立設片１３と、ベース片から所定の距離離隔して設けられ、立設片から幅方向の一方に延在するかぶせ片１４と、を備えるものとする。【選択図】図２
2010037867.tif 000002
【特許請求の範囲】
【請求項１】
建物外周に沿って並列される外壁材の間に具備される見切部材であって、
長手方向に直交する断面に表れる形状において、
幅方向に延在するベース片と、
前記ベース片から立設する立設片と、
前記ベース片から所定の距離離隔して設けられ、前記立設片から前記幅方向の一方に延在するかぶせ片と、を備える見切部材。
【請求項２】
前記ベース片、前記立設片、及び前記かぶせ片により１つのコ字状部が形成されるとともに、該コ字状部とは異なる位置に前記ベース片及び前記立設片により１つのＬ字状部が形成されることを特徴とする請求項１に記載の見切部材。
【請求項３】
前記ベース片、前記立設片、及び前記かぶせ片が、折り曲げられた一枚の板材よりなることを特徴とする請求項１又は２に記載の見切部材。
【請求項４】
請求項１〜３のいずれか一項に記載の見切部材を備える外壁であって、
前記ベース片が建物の下地材又は躯体に沿って配置され、隣り合う外壁材の一方の外壁材の一端部及び目地部が前記かぶせ片の室内側に配置されることにより、前記目地部が室外視から隠蔽されることを特徴とする外壁。
【発明の詳細な説明】
【技術分野】
【０００１】
本発明は、建物の外周の平面部、出隅部、及び入隅部に並列される外壁材の間に具備する見切部材、及び該見切部材を備える外壁に関する。
【背景技術】
【０００２】
近年、建物外観に対する多種多様な要望に応えるため、外壁材として所定の大きさを有する板状のサイディングを並列させる手法をとることが多い。これによればサイディングの室外側面に様々な模様を付すことができ、需要者が希望する外壁を容易に提供することができる。
【０００３】
しかし、サイディングによる外壁の形成にあっては、当該サイディングを建物外周に沿って並列させることによりおこなうので、施工時において各サイディングの位置関係には細心の注意を払う必要があった。これには例えば位置によって目地幅の大きさが異ならないようにするための注意を挙げることができる。
【０００４】
かかる観点から施工を容易とするため、外壁材の目地部に配置され、外壁材同士を接合する部材としてＨ字状ジョイナーが知られている（特許文献１等。）。Ｈ字状ジョイナーは、断面が略Ｈ字型を有した部材で、その一辺が建物躯体等の下地材に取り付けられるとともに、Ｈ字型である２つの開口部分に２枚の外壁材の端部のそれぞれを挿入して配置する。これによれば目地部、及び外壁材の端部を隠蔽することができる。
【特許文献１】特開平７−６２８２９号公報
【発明の開示】
【発明が解決しようとする課題】
【０００５】
しかしながら、このようなＨ型ジョイナーでは、外壁材を両方向から差し込む必要があるので外壁の施工に手間がかかることがあった。また、補修等のためにＨ型ジョイナーを外したい場合は、該Ｈ型ジョイナーに差し込まれている外壁材端部を破損することが避けられず、結果的に両側の外壁材も張り替える必要が生じるため、補修に必要以上のコストがかかることがあった。さらにその断面形状も複雑であり製造の観点からも改善の要望があった。
【０００６】
そこで本発明は上記問題に鑑み、簡易な構造で施工性にも優れる見切材、及び該見切材を備える外壁を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物外周に沿って並列される外壁材の間に具備される見切部材（１０）であって、長手方向に直交する断面に表れる形状において、幅方向に延在するベース片（１１、１２）と、ベース片から立設する立設片（１３）と、ベース片から所定の距離離隔して設けられ、立設片から幅方向の一方に延在するかぶせ片（１４）と、を備える見切部材により前記課題を解決する。
【０００９】
ここで、「立設する」とは、ベース片と立設片とが必ずしも直角である必要はなく、所定の角度を有して配置されていればよい。また、「外壁材」は、建物外周の平面部に配置される外壁材の他、建物の出隅部、入隅部に用いられる外壁材も含む。
【００１０】
請求項２に記載の発明は、請求項１に記載の見切部材（１０）のベース片（１１、１２）、立設片（１３）、及びかぶせ片（１４）により１つのコ字状部（Ｃ）が形成されるとともに、該コ字状部とは異なる位置にベース片及び立設片により１つのＬ字状部（Ｄ）が形成されることを特徴とする。
【００１１】
請求項３に記載の発明は、請求項１又は２に記載の見切部材（１０）のベース片（１１、１２）、立設片（１３）、及びかぶせ片（１４）が、折り曲げられた一枚の板材よりなることを特徴とする。
【００１２】
請求項４に記載の発明は、請求項１〜３のいずれか一項に記載の見切部材（１０）を備える外壁（１０１）であって、ベース片（１１）が建物の下地材（１０３）又は躯体に沿って配置され、隣り合う外壁材（１０５、１０７）の一方の外壁材（１０５）の一端部及び目地部がかぶせ片（１４）の室内側に配置されることにより、目地部が室外視から隠蔽されることを特徴とする外壁を提供することにより前記課題を解決する。
【発明の効果】
【００１３】
本発明によれば、簡易な構造で施工性にも優れる見切部材、及び該見切部材を備える外壁を提供することができる。また、外壁材間の目地部および外壁材の端部を室外視から隠蔽することもできるので外観の向上も図ることも可能となる。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。ただし本発明は実施形態に限定されるものではない。
【００１６】
図１は第一実施形態に係る見切部材１０の外観斜視図である。また図２には、見切部材１０の長手方向に直交する断面を示した。図１、及び図２からわかるように、見切部材１０は、図２に示した断面を有して長手方向に延在する長尺の部材である。
【００１７】
見切部材１０は、図２に表される断面において、該見切部材１０の幅方向に延在する第一ベース片１１を有している。第一ベース片１１の一端側には、その端部が折り返されるように形成される折り返し片１１ａが設けられている。一方、第一ベース片１１の端部のうち、折り返し片１１ａが備えられる側とは反対側の端部には、第一ベース片１１から折り返されるとともに該第一ベース片１１に沿って第二ベース片１２が具備されている。
【００１８】
さらに第二ベース片１２の端部のうち第一ベース片１１に連結されていない側の端部からは、立設片１３が第二ベース片１２から立設されている。
【００１９】
立設片１３の端部のうち第二ベース片１２に連結されていない側の端部からは、第一ベース片１１に略平行で、第二ベース片１２から離隔する方向に延在するかぶせ片１４が設けられ、かぶせ片１４の端部のうち立設片１３に連結されていない端部には折り返しかぶせ片１４ａが備えられている。図２にＡで示した大きさは、ここに配置される外壁材の厚さに同じ又は若干大きく形成されている。また、図２にＢで示した大きさは特に限定されるものではないが、５ｍｍ以上であることが好ましい。５ｍｍより小さくするとサイディングの収縮や端部切断の状況によりサイディングの端部が室外に露出してしまう場合もあるからである。
【００２０】
見切部材１０のこのような構成により、図２にＣで示したように第一ベース片１１、立設片１３、及びかぶせ片１４に三方を囲まれた断面がコ字状であるコ字状部Ｃが形成される。また、図２にＤで示したように、当該コ字状部Ｃに立設片１３を挟んで隣り合うＬ字状部Ｄが形成されている。Ｌ字状部Ｄは第二ベース片１２、及び立設片１３により構成されている。これにより後述するように、外壁を施工する際に、見切部材１０及び外壁材を容易に施工することが可能となる。
【００２１】
見切部材１０は図１、２からもわかるように、Ｈ型ジョイナーに比べて構造が簡易であるため製造が容易である。
【００２２】
見切部材１０に用いられる材料は特に限定されるものではないが、加工性やコスト等の観点から、アルミニウム板や亜鉛めっき鋼板、ステンレス鋼板等を用いることができる。本実施形態の見切部材１０は、１枚の板を折り曲げるように一体に形成されている。これにより、溶接等を用いるより容易に製造することが可能である。また、折り曲げにより形成するので、折り返し片１１ａ、１４ａ、及び第一ベース片１１、及び第二ベース片１２における折り返し部分で切断面が露出しない。従って外観を向上させることができるとともに、劣化も防止することが可能となる。
【００２３】
次に、見切部材１０が備えられる外壁について説明する。図３は見切部材１０、１０が備えられる出隅部１０１の構成を断面により表した図である。図３の上及び右が室外側、下及び左が室内側である。また、図４は図３にＥで示した部位に注目して示した図である。
【００２４】
出隅部１０１には、躯体１０２が設けられ、該躯体１０２の室外側面には、これに沿って２つの下地材１０３、１０４が取り付けられている。下地材１０３、１０４は固定部材１１０、１１１により躯体１０２に固定される。また、下地材１０３、１０４のそれぞれには所定の位置に見切部材１０、１０が固定部材１１２、１１３により固定される。このとき、固定部材１１２、１１３は、躯体１０２にまで達するので、下地材１０３、１０４の躯体１０２への固定も兼ねる。ここで見切部材１０、１０の所定の位置とは、外壁材１０５、１０６、及び出隅用外壁材１０７を適切に配置できる位置である。詳しくは後で説明する。
【００２５】
見切部材１０、１０が下地材１０３、１０４に配置される際には、その長手方向が出隅の長手方向（図３の紙面手前／奥方向）に略平行になるように配置される。そして見切部材１０、１０の第一ベース片１１の面のうち、立設片１３が設けられない側の面が下地材１０３、１０４の面に合わせられるように配置される。このとき、見切部材１０、１０のコ字状部Ｃ、Ｃ（図２参照）が出隅部の角部とは反対側に向けられる。
【００２６】
外壁材１０５、１０６は、建物の外壁のうち平面部に配置されるいわゆるサイディングである。外壁材１０５、１０６の端部は見切部材１０、１０のコ字状部Ｃ、Ｃ（図２参照）に挿入されるように下地材１０３、１０４に沿って配置され、固定部材１１４、１１５により下地材１０３、１０４に固定される。固定部材１１４、１１５は、躯体１０２に達する。
【００２７】
出隅用外壁材１０７は、建物の外壁のうち出隅部に配置されるサイディングで、２枚の板状サイディング１０７ａ、１０７ｂが略直角に組み合わされている。出隅用外壁材１０７は、出隅部に沿って配置され、その両端が２つの見切部材１０、１０を渡すように配設されている。このとき、出隅用外壁材１０７の端面が見切部材１０、１０の立設片１３、１３の少なくとも一部に接触するように配置され、固定部材１１６、１１７により固定される。
【００２８】
従って、図３、図４からわかるように、外壁材１０５、１０６と、出隅用外壁材１０７との目地は、見切部材１０、１０のコ字状部Ｃ、Ｃ（図２参照）の内側に配置され、目地を室外視から隠蔽することができる。また、外壁材１０５、１０６の端面と見切部材１０、１０の立設片１３、１３との間に止水材１０８、１０９を設ければ、ここで止水構造を形成することができるとともに、当該止水材１０８、１０９も室外視から隠蔽することが可能となる。当該止水材としてはいわゆるシーリングである湿式だけでなく、乾式のものを用いることができる。乾式を用いることにより施工が容易であるとともに、その交換も簡単に行うことが可能となる。
また、本実施形態ではより確実な止水構造とするため止水材１０８、１０９を用いる構成を説明したが、必ずしもここに止水材を設ける必要はない。この場合、コ字状部Ｃ、Ｃ（図２参照）に侵入した水があっても、該水は、折り返し片１１ａに止められ流下することができる。
【００２９】
さらには、外壁材１０５、１０６の施工誤差や端面が斜めに切断されている場合、又は合じゃくり形状も、当該コ字状部Ｃに含ませることができ、これらを適切に室外視から隠蔽することができる。
【００３０】
また、板状サイディング１０７ａ、１０７ｂと第二ベース片１２との間には止水材１１９が備えられることが好ましい。これにより、立設片１３と板状サイディング１０７ａ、１０７ｂとの間に侵入した水が板状サイディング１０７ａ、１０７ｂの裏面側に進行することを防止することができる。止水材１１９としては特に限定されるものではないが、厚さ１ｍｍ程度で凹凸に対して追従可能な弾性を有しているものが好ましい。これには例えば粘着テープ、ブチルゴム、又は発泡樹脂等を挙げることができる。これらは保水しない材料で形成されていることがさらに好ましい。
【００３１】
このような出隅部１０１は例えば次のように施工することができる。図５には、出隅部１０１の施工の場面を説明する図を示した。図５（ａ）は、後から出隅用外壁材１０７を取り付ける場合、図５（ｂ）は後から外壁材１０５、１０６を取り付ける場合をそれぞれ表している。
【００３２】
図５（ａ）に示したように、先に外壁材１０５、１０６及び見切部材１０、１０を施工し、後から出隅用外壁材１０７を施工する場合には、見切部材１０、１０のＬ字状部Ｄ、Ｄ（図２参照）を渡してかぶせるように出隅用外壁材１０７を取り付けることができる。従って、出隅用外壁材１０７を容易に施工することが可能である。
【００３３】
一方、図５（ｂ）に示したように、先に出隅用外壁材１０７及び見切部材１０、１０を施工し、後から外壁材１０５、１０６を施工する場合には、見切部材１０、１０のコ字状部Ｃ、Ｃ（図２参照）に外壁材１０５、１０６の端部を差し込むように配置して取り付ける。このような場合にあっては、外壁材１０５、１０６を差し込むようにして施工するので、該外壁材１０５、１０６を固定部材１１４、１１５（図３参照）で固定するまでの間、ズレやがたつきを防止することができる。これは特に外壁材（サイディング）が大きく、重い時には施工者がこれを支える負担を軽減することが可能となり、効果が顕著である。
【００３４】
図６は見切部材１０、１０が備えられる入隅部２０１の構成を断面により表した図である。図６の紙面右上が室外側、左下が室内側である。
【００３５】
入隅部２０１には、躯体２０２が設けられ、該躯体２０２の入隅側面のそれぞれには外壁に沿うように延在する２つの躯体２０３、２０４が配置されている。さらに該躯体２０３、２０４の室外側面には下地材２０５、２０６が取り付けられている。下地材２０５、２０６は固定部材２１２、２１３により躯体２０３、２０４に固定される。また、下地材２０５、２０６のそれぞれには所定の位置に見切部材１０、１０が固定部材２１４、２１５により固定される。このとき、固定部材２１４、２１５は、躯体２０３、２０４にまで達するので、下地材２０５、２０６の躯体２０３、２０４への固定も兼ねる。ここで見切部材１０、１０の所定の位置とは、外壁材２０７、２０８、及び入隅用外壁材２０９を適切に配置できる位置である。詳しくは後で説明する。
【００３６】
見切部材１０、１０が下地材２０５、２０６に配置される際には、その長手方向が入隅の長手方向（図６の紙面手前／奥方向）に略平行になるように配置される。そして見切部材１０、１０の第一ベース片１１の面のうち、立設片１３が設けられない側の面が下地材２０５、２０６の面に合わせられるように配置される。このとき、見切部材１０、１０のコ字状部Ｃ、Ｃ（図２参照）が入隅とは反対側に向けられる。
【００３７】
外壁材２０７、２０８は、建物の外壁のうち平面部に配置されるいわゆるサイディングである。外壁材２０７、２０８の端部は見切部材１０、１０のコ字状部Ｃ、Ｃ（図２参照）に挿入されるように下地材２０５、２０６に沿って配置され、固定部材２１６、２１７により下地材２０５、２０６に固定される。固定部材２１６、２１７は、躯体２０３、２０４に達する。
【００３８】
入隅用外壁材２０９は、建物の外壁のうち入隅部に配置されるサイディングで、２枚の板状サイディング２０９ａ、２０９ｂが略直角に組み合わされている。入隅用外壁材２０９は、入隅部に沿って配置され、その両端が２つの見切部材１０、１０を渡すように配設されている。このとき、入隅用外壁材２０９の端面が見切部材１０、１０の立設片１３、１３の少なくとも一部に接触するように配置され、固定部材２１８、２１９により固定される。
【００３９】
従って、図６からわかるように、外壁材２０７、２０８と、入隅用外壁材２０９との目地は、見切部材１０、１０のコ字状部Ｃ、Ｃ（図２参照）の内側に配置され、目地を室外視から隠蔽することができる。また、外壁材２０７、２０８の端面と見切部材１０、１０の立設片１３との間に止水材２１０、２１１を設ければ、ここで止水構造を形成することができるとともに、当該止水材２１０、２１１も室外視から隠蔽することが可能となる。
【００４０】
さらには、外壁材２０７、２０８の施工誤差や端面が斜めに切断されている場合、又は合じゃくり形状も、当該コ字状部Ｃ、Ｃ（図２参照）に含ませることができ、これらを適切に室外視から隠蔽することができる。
【００４１】
このような入隅部２０１は例えば次のように施工することができる。図７には、入隅部２０１の施工の場面を説明する図を示した。図７（ａ）は、後から入隅用外壁材２０９を取り付ける場合、図５（ｂ）は後から外壁材２０７、２０８を取り付ける場合をそれぞれ表している。
【００４２】
図７（ａ）に示したように、先に外壁材２０７、２０８及び見切部材１０、１０を施工し、後から入隅用外壁材２０９を施工する場合には、見切部材１０、１０のＬ字状部Ｄ、Ｄ（図２参照）を渡してかぶせるように入隅用外壁材２０９を取り付けることができる。従って、入隅用外壁材２０９を容易に施工することが可能である。
【００４３】
一方、図７（ｂ）に示したように、先に入隅用外壁材２０９及び見切部材１０、１０を施工し、後から外壁材２０７、２０８を施工する場合には、見切部材１０、１０のコ字状部Ｃ、Ｃ（図２参照）に外壁材２０７、２０８の端部を差し込むように配置して取り付ける。このような場合にあっては、外壁材２０７、２０８を差し込むようにして施工するので、該外壁材２０７、２０８を固定部材２１６、２１７（図６参照）で固定するまでの間、ズレやがたつきを防止することができる。これは特に外壁材（サイディング）が大きく、重い時には施工者がこれを支える負担を軽減することが可能となり、効果が顕著である。
【００４４】
図８は見切部材１０が備えられる外壁の平面部３０１の一部を示した断面で、その構造を説明するための図である。図８の紙面上が室外側、下が室内側である。図８では、見切部材１０が１つとこれに備えられる２つの外壁材３０４、３０５の一部のみが表されているが、外壁の平面部３０１は左右に延在し、外壁材と見切部材とが交互に繰り返し並列される。
【００４５】
平面部３０１には、躯体３０２が設けられ、該躯体３０２の室外側面には外壁に沿うように延在する下地材３０３が配置されている。下地材３０３は固定部材３０７により躯体３０２に固定される。また、下地材３０３には所定の位置に見切部材１０が固定部材３０８により固定される。このとき、固定部材３０８は、躯体３０２にまで達するので、下地材３０３の躯体３０２への固定も兼ねる。ここで見切部材１０の所定の位置とは、外壁材３０４、３０５を適切に配置できる位置である。詳しくは後で説明する。
【００４６】
見切部材１０が下地材３０３に配置される際には、見切部材１０の第一ベース片１１の面のうち、立設片１３が設けられない側の面が下地材３０３の面に合わせられるように配置される。このとき、見切部材１０のコ字状部Ｃ（図２参照）が一方の外壁材３０４側に開口するように配設される。
【００４７】
外壁材３０４、３０５は、建物の外壁のうち平面部に配置されるいわゆるサイディングである。２つの外壁材３０４、３０５のうち外壁材３０４の端部は、見切部材１０のコ字状部Ｃ（図２参照）に挿入されるように下地材３０３に沿って配置され、固定部材３０９により下地材３０３に固定される。一方、外壁材３０５は、その端部が見切部材１０のＬ字状部Ｄ（図２参照）に配置され、下地材３０３に固定部材３１０により固定される。固定部材３０９、３１０は、躯体３０２に達する。
【００４８】
従って、図８からわかるように、外壁材３０４、３０５間に生じる目地は、見切部材１０のコ字状部Ｃ（図２参照）の内側に配置され、目地を室外視から隠蔽することができる。また、外壁材３０４の端面と見切部材１０の立設片１３との間に止水材３０６を設ければ、ここで止水構造を形成することができるとともに、当該止水材３０６も室外視から隠蔽することが可能となる。
【００４９】
さらには、外壁材３０４の施工誤差や端面が斜めに切断されている場合、又は合じゃくり形状も、当該コ字状部Ｃ（図２参照）に含ませることができ、これらを適切に室外視から隠蔽することができる。
【００５０】
このような平面部３０１は例えば次のように施工することができる。図９には、平面部３０１の施工の場面を説明する図を示した。図９（ａ）は、後から外壁材３０５を取り付ける場合、図９（ｂ）は後から外壁材３０４を取り付ける場合をそれぞれ表している。
【００５１】
図９（ａ）に示したように、先に外壁材３０４及び見切部材１０を施工し、後から外壁材３０５を施工する場合には、見切部材１０のＬ字状部Ｄ（図２参照）に外壁材３０５をかぶせるように取り付けることができる。従って、外壁材３０５の端部を容易に施工することが可能である。
【００５２】
一方、図９（ｂ）に示したように、先に外壁材３０５及び見切部材１０を施工し、後から外壁材３０４を施工する場合には、見切部材１０のコ字状部Ｃ（図２参照）に外壁材３０４の端部を差し込むように配置して取り付ける。このような場合にあっては、外壁材３０４を差し込むようにして施工するので、該外壁材３０４を固定部材３０９（図８参照）で固定するまでの間、ズレやがたつきを防止することができる。これは特に外壁材（サイディング）が大きく、重い時には施工者がこれを支える負担を軽減することが可能となり、効果が顕著である。
【００５３】
ここまで、出隅部１０１、入隅部２０１、及び平面部３０１について説明した。ここでは見切部材１０がそれぞれの図で表したような向きに配置されたが、これに限定されることはない。例えば、出隅部では見切部材のコ字状部に出隅用外壁材の端部が差し込まれる向きに該見切部材を配置してもよい。同様に入隅部では、見切部材のコ字状部に入隅用外壁材の端部が差し込まれる向きに該見切部材を配置してもよい。
【００５４】
図１０は第二実施形態、第三実施形態に係る見切部材２０、３０の長手方向に直交する断面である。見切部材２０、３０は、図１０に示した断面を有して長手方向に延在する長尺の部材である。
【００５５】
見切部材２０は、図１０（ａ）に表される断面において、該見切部材２０の幅方向に延在する第一ベース片２１を有している。第一ベース片２１の一端側には、その端部が折り返されるように形成される折り返し片２１ａが設けられている。一方、第一ベース片２１の端部のうち、折り返し片２１ａが備えられる側とは反対側の端部には、第一ベース片２１から折り返されるとともに該第一ベース片２１に沿って第二ベース片２２が具備されている。
【００５６】
さらに第二ベース片２２の端部のうち第一ベース片２１に連結されていない側の端部からは、第一ベース片２１から立設する立設片２３が設けられている。立設片２３の端部のうち第二ベース片２２に連結されていない側の端部からは、第一ベース片２１に略平行で、第二ベース片２２から離隔する方向に延在するかぶせ片２４が設けられ、かぶせ片２４の端部のうち立設片２３に連結されていない端部には折り返し片２４ａが備えられている。
【００５７】
見切部材２０は、これに加えて立設片２３の略中央にかぶせ片２４側に突出する突起２３ａを備えている。これにより見切部材２０は、上記した見切部材１０で説明した効果に加え、ここに配置される外壁材の端面部に排水路を確保することができ、ここに水が溜まることを防止することができる。
【００５８】
見切部材３０は、図１０（ｂ）に表される断面において、該見切部材３０の幅方向に延在する第一ベース片３１を有している。第一ベース片３１の一端側には、その端部が折り返されるように形成される折り返し片３１ａが設けられている。一方、第一ベース片３１の端部のうち、折り返し片３１ａが備えられる側とは反対側の端部には、第一ベース片３１から折り返されるとともに該第一ベース片３１に沿って第二ベース片３２が具備されている。
【００５９】
さらに第二ベース片３２の端部のうち第一ベース片３１に連結されていない側の端部からは、第一ベース片３１から立設する立設片３３が設けられている。立設片３３の端部のうち第二ベース片３２に連結されていない側の端部からは、第一ベース片３１に略平行で、第二ベース片３２から離隔する方向に延在するかぶせ片３４が設けられ、かぶせ片３４の端部のうち立設片３３に連結されていない端部には折り返し片３４ａが備えられている。
【００６０】
見切部材３０は、これに加えて第一ベース片３１のうちかぶせ片３４に対向する部分に、該かぶせ片３４側に突出する突起３１ｂ、３１ｃを備えている。これにより見切部材３０は、上記した見切部材１０で説明した効果に加え、突起３１ｂ、３１ｃがリブとしての効果を奏し、当該見切部材３０の強度を向上させることができる。また、製造時においても曲げ加工時に生じるねじれを小さく抑えることが可能となり、精度のよい見切部材３０を提供することができる。
また、見切部材３０を用いた外壁において、見切部材３０と外壁材との間に水が浸入したときに止水機能を有し、上記折り返し片３１ａ、３４ａと合わせて二重の止水機能を確保することが可能である。
さらには、外壁材の端部を見切部材３０のコ字状部に挿入し、固定部材により固定するときには折り返し片３１ａと、突起３１ｂ、３２ｃの両方で外壁材を受けることができ、折り返し片３１ａへの負荷を減らすこともできる。かかる観点からは、折り返し片３１ａの突出量と突起３１ｂ、３１ｃの突出量は同程度であることが好ましい。
【００６１】
図１１は第四、第五実施形態に係る見切部材４０、５０の長手方向に直交する断面である。見切部材４０、５０は、図１１に示した断面を有して長手方向に延在する長尺の部材である。
【００６２】
見切部材４０は、図１１（ａ）に表される断面において、該見切部材４０の幅方向に延在する第一ベース片４１を有している。第一ベース片４１の一端側には、その端部が折り返されるように形成される折り返し片４１ａが設けられている。一方、第一ベース片４１の端部のうち、折り返し片４１ａが備えられる側とは反対側の端部には、第一ベース片４１から折り返されるとともに該第一ベース片４１に沿って第二ベース片４２が具備されている。
【００６３】
さらに第二ベース片４２の端部のうち第一ベース片４１に連結されていない側の端部からは、第一ベース片４１から立設する立設片４３が設けられている。立設片４３の端部のうち第二ベース片４２に連結されていない側の端部からは、第一ベース片４１に略平行で、第二ベース片４２から離隔する方向に延在するかぶせ片４４が設けられ、かぶせ片４４の端部のうち立設片４３に連結されていない端部には折り返し片４４ａが備えられている。
【００６４】
見切部材４０は、これに加えて立設片４３のかぶせ片４４側に突出するように配置された止水材４５が取り付けられている。これにより見切部材４０は、上記した見切部材１０で説明した効果に加え、予め止水材４５が設けられているので外壁材の施工時に別個に止水材（シーリング材）を配置する必要がない。従って利便性に優れる見切部材４０を提供することができる。
【００６５】
見切部材５０は、図１１（ｂ）に表される断面において、該見切部材５０の幅方向に延在する第一ベース片５１を有している。第一ベース片５１の一端部からは、第一ベース片５１から折り返されるとともに該第一ベース片５１に沿って第二ベース片５２が具備されている。
【００６６】
さらに第二ベース片５２の端部のうち第一ベース片５１に連結されていない側の端部からは、第一ベース片５１から立設する立設片５３が設けられている。立設片５３の端部のうち第二ベース片５２に連結されていない側の端部からは、第一ベース片５１に略平行で、第二ベース片５２から離隔する方向に延在するかぶせ片５４が設けられている。
【００６７】
見切部材５０は、これに加えて第一ベース片５１のうち第二ベース片５２が連結されていない側の端部に止水材５５が設けられている。同様に、第二ベース片５２の端部のうち第一ベース片５１に連結された側の端部、及びかぶせ片５４の立設片５３に連結されていない側の端部にもそれぞれ止水材５６、５７が取り付けられている。これにより見切部材５０は見切部材１０における折り返し片１１ａ、１４ａの代わりに別に止水材５５、５６、５７が設けられているので、止水材５５、５６、５７が必要にはなるものの、折り曲げによる製造自体は容易となる。また、止水材５５、５６、５７の材質を適宜選択することができ、使用環境等の目的に応じた止水構造を形成することも可能となる。
【００６８】
図１２は第六実施形態に係る見切部材６０の長手方向に直交する断面である。見切部材６０は、後で説明するように２つの部材を組み合わせて形成されているので、図６では分かり易さのため、これを分離して示している。見切部材６０として形成されたときにはこれら２つの部材がいずれかの手段により一体となっている。見切部材６０は、当該一体となった姿勢で、図１２に示した断面を有して長手方向に延在する長尺の部材である。
【００６９】
見切部材６０は、図１２に表される断面において、ベース材６１と屈曲材６３とを備えている。
ベース材６１は、見切部材６０の幅方向に延在するベース片６２を有し、ベース片６２の両端には、その端部が折り返されるように形成される折り返し片６２ａ、６２ｂが設けられている。
一方、屈曲材６３は、図１２に表される断面においてクランク状に形成され、クランク状を形成する３つの片であるベース片６４、立設片６５、及びかぶせ片６６を有している。かぶせ片６６の端部のうち立設片６５に連結されていない側の端部には折り返し片６６ａが設けられている。
【００７０】
ベース材６１と屈曲材６３とは、ベース材６１のベース片６２の一面側に屈曲材６３のベース片６４が載置されて固定されることにより組み合わせられる。固定の方法は特に限定されるものではない。これには例えば粘着テープ等による貼り合わせ、釘やビスによる留め付けを挙げることができる。また、その他にもベース片６４の端部を折り返し片６２ｂに差し込み、かしめて固定する方法もある。
【００７１】
見切部材６０は、かかる構成により上記した見切部材１０の効果に加え、これが設置される建物外壁の態様に応じて屈曲材６３の位置（図１２の紙面左右方向位置）を調整したり、かぶせ片６６向きを変えたりすることができる。
【００７２】
図１３は第七実施形態に係る見切部材７０の長手方向に直交する断面である。見切部材７０は、図１３に示した断面を有して長手方向に延在する長尺の部材である。
【００７３】
見切部材７０は、図１３に表される断面において、該見切部材７０の幅方向に延在するベース片７１を有している。ベース片７１の一端側には、その端部が折り返されるように形成される折り返し片７１ａが設けられている。一方、ベース片７１の端部のうち、折り返し片７１ａが備えられる側とは反対側の端部には、ベース片７１の端部から立設されるように設けられる立設片７２が具備されている。
【００７４】
さらに立設片７２の端部のうちベース片７１に連結されていない側の端部からは、ベース片７１から離隔する方向に延在するかぶせ片７３が設けられている。また、かぶせ片７３の端部のうち立設片７２に連結されていない端部には折り返し片７３ａが備えられている。
【００７５】
かかる構成の見切部材７０によれば、見切部材１０に比べてさらに構成を簡易なものとすることができる。
【００７６】
以上、現時点において、もっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う見切部材、及び該見切部材を備えた外壁もまた本発明の技術的範囲に包含されるものとして理解されなければならない。
【図面の簡単な説明】
【００７７】
【図１】第一実施形態に係る見切部材の斜視図である。
【図２】図１に示した見切部材の長手方向に直交する方向の断面図である。
【図３】出隅部の構成を説明するための断面図である。
【図４】図３にＥで示した部位に注目して示した図である。
【図５】図３に示した出隅部の施工について説明する図である。
【図６】入隅部の構成を説明するための断面図である。
【図７】図６に示した入隅部の施工について説明する図である。
【図８】平面部の構成を説明するための断面図である。
【図９】図８に示した平面部の施工について説明する図である。
【図１０】第二、第三実施形態の見切部材の長手方向に直交する方向の断面図である。
【図１１】第四、第五実施形態の見切部材の長手方向に直交する方向の断面図である。
【図１２】第六実施形態の見切部材の長手方向に直交する方向の断面図である。
【図１３】第七実施形態の見切部材の長手方向に直交する方向の断面図である。
【符号の説明】
【００７８】
１０、２０、３０、４０、５０  見切部材
１１、２１、３１、４１、５１  第一ベース片（ベース片）
１２、２２、３２、４２、５２  第二ベース片（ベース片）
１３、２３、３３、４３、５３  立設片
１４、２４、３４，４４、５４  かぶせ片
２３ａ  突起
３１ｂ、３１ｃ  突起
４５  止水材
５５、５６、５７  止水材
６０  見切部材
６１  ベース材
６２  ベース片
６３  屈曲材
６４  ベース片
６５  立設片
６６  かぶせ片
７０  見切部材
７１  ベース片
７２  立設片
７３  かぶせ片
１０１  出隅部
１０２  躯体
１０３、１０４  下地材
１０５、１０６  外壁材
１０７  出隅用外壁材
１０８、１０９  止水材
２０１  入隅部
２０２、２０３、２０４  躯体
２０５、２０６  下地材
２０７、２０８  外壁材
２０９  入隅用外壁材
２１０、２１１  止水材
３０１  平面部
３０２  躯体
３０３  下地材
３０４、３０５  外壁材
３０６  止水材
【図１】
2010037867.tif 000003
【図２】
2010037867.tif 000004
【図３】
2010037867.tif 000005
【図４】
2010037867.tif 000006
【図５】
2010037867.tif 000007
【図６】
2010037867.tif 000008
【図７】
2010037867.tif 000009
【図８】
2010037867.tif 000010
【図９】
2010037867.tif 000011
【図１０】
2010037867.tif 000012
【図１１】
2010037867.tif 000013
【図１２】
2010037867.tif 000014
【図１３】
2010037867.tif 000015